(57)【要約】【課題】同期ずれが起こった場合でも、高速に同期検出を復帰させ、データを取り損ねることがない同期検出回路及び同期検出方法を提供すること。【解決手段】選択されているカウンタから生成されたウィンドウ信号がＨの期間内に、データ送信部２から出力される同期信号Ｓ１０１が検出されず、選択されていないカウンタから生成されたウィンドウ信号がＨの期間内に、同期信号Ｓ１０１が検出された場合、次に同期信号Ｓ１０１が検出された時点から、現在選択しているパラレルデータを未選択側のパラレルデータに切り替えて出力する。【選択図】　　　図１
2004112574.tif 000002
【特許請求の範囲】
【請求項１】
供給される同期信号に同期して一定周波数のクロック信号をカウントする第１のカウンタと、
上記第１のカウンタの値に基づいて次の同期信号を検出する時間を予測し、該予測した時間の前後一定期間内に同期信号の検出期間を示す第１のウィンドウ信号を出力する第１の予測同期ウィンドウ生成手段と、
上記第１のカウンタの値に基づいて供給されるシリアルデータを取り込むための第１のロードタイミング信号を出力する第１のロードタイミング生成手段と、供給されるシリアルデータを上記第１のロードタイミング信号に基づいて取り込み、第１のパラレルデータを出力する第１のデータロード手段と、
上記同期信号に同期して一定周波数のクロック信号をカウントする第２のカウンタと、
上記第２のカウンタの値に基づいて、次の同期信号を検出する時間を予測し、該予測した時間の前後一定期間内に同期信号の検出期間を示す第２のウィンドウ信号を出力する第２の予測同期ウィンドウ生成手段と、
上記第２のカウンタの値に基づいて、第２のロードタイミング信号を出力する第２のロードタイミング生成手段と、
供給されるシリアルデータを上記第２のロードタイミング信号に基づいて取り込み、第２のパラレルデータを出力する第２のデータロード手段と、
上記第１のパラレルデータと第２のパラレルデータとのいずれかの出力を選択するパラレルデータ選択手段と、
現在選択されている上記第１または第２の予測同期ウィンドウ生成手段による同期信号の検出期間外に上記同期信号を検出した際、現在非選択の予測同期ウィンドウ生成手段による同期信号の検出期間内であった場合、上記パラレルデータ選択手段を、現在選択されているパラレルデータから現在非選択のパラレルデータに出力を切り替えるように制御する制御手段と、
を備えたことを特徴とする同期検出回路。
【請求項２】
請求項１記載の同期検出回路において、
上記制御手段は、
上記パラレルデータ選択手段で上記第１のパラレルデータが選択され、上記第１のカウンタが所定の値になった時、および上記パラレルデータ選択手段で上記第２のパラレルデータが選択され、上記第２のウィンドウ信号がＬの期間に上記同期信号が検出された時、上記第１のカウンタがリセットされるように第１のリセット信号を出力し、
上記パラレルデータ選択手段で上記第２のパラレルデータが選択され、上記第２のカウンタが所定の値になった時、および上記パラレルデータ選択手段で上記第１のパラレルデータが選択され、上記第１のウィンドウ信号がＬの期間に上記同期信号が検出された時、上記第２のカウンタがリセットされるように第２のリセット信号を出力し、
上記パラレルデータ選択手段で上記第１のパラレルデータが選択され、上記第１のウィンドウ信号がＨの期間内に上記同期信号が検出できなかった後、上記第１のウィンドウ信号がＨの期間以外で上記第２のウィンドウ信号がＨの期間内に上記同期信号を検出した時、上前記パラレルデータ選択手段で選択するパラレルデータを上記第２のパラレルデータに変更し、
上記パラレルデータ選択手段で上記第２のパラレルデータが選択され、上記第２のウィンドウ信号がＨの期間内に上記同期信号が検出できなかった後、上記第２のウィンドウ信号がＨの期間以外で上記第１のウィンドウ信号がＨの期間内に上記同期信号を検出した時、上記パラレルデータ選択手段で選択するパラレルデータを上記第１のパラレルデータに変更する、
ことを特徴とする同期検出回路。
【請求項３】
供給される同期信号に同期して一定周波数のクロック信号をカウントし第１のカウント値を出力する第１のステップと、
第１のカウント値に基づいて次の同期信号を検出する時間を予測し、該予測した時間の前後一定期間内に同期信号の検出期間を示す第１のウィンドウ信号を出力する第２のステップと、
上記第１のカウント値に基づいて供給されるシリアルデータを取り込むための第１のロードタイミング信号を出力する第３のステップと、
供給されるシリアルデータを上記第１のロードタイミング信号に基づいて取り込み、第１のパラレルデータを出力する第４のステップと、
上記同期信号に同期して一定周波数のクロック信号をカウントし第２のカウント値を出力する第５のステップと、
上記第２のカウント値に基づいて次の同期信号を検出する時間を予測し、該予測した時間の前後一定期間内に同期信号の検出期間を示す第２のウィンドウ信号を出力する第６のステップと、
上記第２のカウント値に基づいて第２のロードタイミング信号を出力する第７のステップと、
供給されるシリアルデータを上記第２のロードタイミング信号に基づいて取り込み、第２のパラレルデータを出力する第８のステップと、
上記第１及び第２のウィンドウ信号による同期信号の検出期間外に上記同期信号を検出したか否かを判定する第９のステップと、
現在選択されている上記第１または第２のウィンドウ信号による同期信号の検出期間外に上記同期信号を検出した時、現在非選択のウィンドウ信号による同期信号の検出期間内であった場合、現在選択されているパラレルデータから現在非選択のパラレルデータに出力を切り替えて出力する第１０のステップと、
を含むことを特徴とする同期検出方法。
【請求項４】
請求項３記載の同期検出方法において、
上記第１０のステップは、
上記第１のパラレルデータ選択時で上記第１のカウント値が所定の値になった時、および上記第２のパラレルデータ選択時で上記第２のウィンドウ信号がＬの期間に上記同期信号が検出された時に、上記第１のカウント値がリセットされるように第１のリセット信号を出力するステップと、
上記第２のパラレルデータ選択時で上記第２のカウント値が所定の値になった時、及び上記第１のパラレルデータ選択時で上記第１のウィンドウ信号がＬの期間に上記同期信号が検出された時に、上記第２のカウント値がリセットされるように第２のリセット信号を出力するステップと、
上記第１のパラレルデータ選択時で上記第１のウィンドウ信号がＨの期間内に上記同期信号が検出できなかった後、上記第１のウィンドウ信号がＨの期間以外で上記第２のウィンドウ信号がＨの期間内に上記同期信号を検出した時、上記選択されるパラレルデータを上記第２のパラレルデータに変更するステップと、
上記第２のパラレルデータ選択時で上記第２のウィンドウ信号がＨの期間内に上記同期信号が検出できなかった後、上記第２のウィンドウ信号がＨの期間以外で上記第１のウィンドウ信号がＨの期間内に上記同期信号を検出した時に、上記選択するパラレルデータを上記第１のパラレルデータに変更するステップと、
を含むことを特徴とする同期検出方法。
【請求項５】
供給される同期信号に基づいてシリアルデータを取り込み、パラレルデータとして出力する同期検出回路において、
上記供給される同期信号に同期して所定のタイミングにてシリアルデータを取り込んで、パラレルデータとして出力する第１のデータ出力回路と、
上記第１のデータ出力回路とは異なるタイミングにて上記シリアルデータを取り込み、パラレルデータとして出力する第２のデータ出力回路と、
上記第１及び第２のデータ出力回路から出力されるパラレルデータのいずれか一方を選択して出力するデータ選択手段と、
現在選択されている上記第１または第２のデータ出力回路からの、上記同期信号の検出期間以外における同期信号の出現を検出した時、現在非選択のデータ出力回路からの同期信号の検出期間内であった場合、上記データ選択手段によって選択されているデータ出力回路の出力を、他方のデータ出力回路に切り替えるように制御する制御手段と、
を備えたことを特徴とする同期検出回路。
【請求項６】
供給される同期信号に基づいてシリアルデータを取り込み、パラレルデータとして出力する同期検出方法において、
第１のデータ出力回路により上記供給される同期信号に同期して所定のタイミングにてシリアルデータを取り込み、パラレルデータとして出力するステップと、
第２のデータ出力回路により上記第１のデータ出力回路とは異なるタイミングにて上記シリアルデータを取り込み、パラレルデータとして出力するステップと、
上記第１及び第２のデータ出力回路から出力されるパラレルデータのいずれか一方を選択して出力するデータ選択ステップと、
上記第１及び第２のデータ出力回路からの上記同期信号の検出期間以外における同期信号の出現を検出し、上記データ選択ステップにて選択されているデータ出力回路の出力を、次の同期信号を検出した時点から他方のデータ出力回路に切り替えるように制御する制御ステップと、
を含むことを特徴とする同期検出方法。
【発明の詳細な説明】
【０００１】
【発明の属する技術分野】
本発明は同期検出回路、及び同期検出方法に関し、特に、同期のずれが起こった場合でも、高速に同期検出を復帰させ、かつ、データを取り損ねることがない機構を有するものに関するものである。
【０００２】
【従来の技術】
本発明が対象とする同期検出回路、及び同期検出方法は、例えばＣＤなどの光ディスク再生装置において、記録信号の同期を得る場合に用いられるが、ディスク上に付着したゴミなどの影響で同期信号が検出できない場合や、トラックジャンプ、及びディスクの振動などによって同期信号の発生タイミングがずれる場合がある。同期信号は決められた周期ごとに現れるはずであるから、次に同期信号が現れる時間を予測し、その前後一定期間にウィンドウを設けて同期検出を行うことで、上述したような場合でも正しく同期を検出し、データを取り込むことができる。同期ずれが生じた場合でも同期検出を高速に復帰させることができる同期信号検出回路及び同期検出方法としては、例えば、特開平１０−５０００２号公報に示される同期検出回路及び同期検出方法がある。
【０００３】
【特許文献１】
特開平１０−５０００２号公報
【０００４】
以下、従来の同期検出回路及び同期検出方法について説明する。図５は従来の同期検出回路の構成図である。図において、１が同期検出回路であり、以下、該同期検出回路１を構成する各要素について詳細に説明を行う。データ送信部２は、同期信号Ｓ１０１とシリアルデータＳ１０２とを同期検出回路１に供給する。第１のカウンタ４は、制御部３からのリセット信号Ｓ１０３がＬの時は一定周波数のクロックをカウントし、制御部３からのリセット信号Ｓ１０３がＨの時はリセットされる。第１予測同期ウィンドウ生成部５は、上記第１のカウンタ４から出力されるＳ１０４の値に基づいて次の同期信号を検出する時間を予測して、この前後一定期間内に同期信号の検出期間を示す第１ウィンドウ信号Ｓ１０５を出力する。また、制御部３からの第１ウィンドウ制御信号Ｓ５５１に従ってウィンドウの開放・クローズを行う。
【０００５】
第２のカウンタ８は、制御部３からのリセット信号Ｓ１０８がＬの時は一定周波数のクロックをカウントし、制御部３からのリセット信号Ｓ１０８がＨの時はリセットされる。第２予測同期ウィンドウ生成部９は、上記第２のカウンタ８から出力される信号Ｓ１０９の値に基づいて次の同期信号を検出する時間を予測して、この前後一定期間内に同期信号の検出期間を示す第２ウィンドウ信号Ｓ１１０を出力する。また、制御部３からの第２ウィンドウ制御信号Ｓ５５２に従ってウィンドウの開放・クローズを行う。
【０００６】
カウンタ選択回路５０１は、制御部３からのカウンタ選択信号Ｓ５５３に基づいて、第１のカウンタ４のカウンタ値Ｓ１０４と、第２のカウンタ８のカウンタ値Ｓ１０９とのいずれか一方を選択し、信号Ｓ５５４を出力する。
【０００７】
ロードタイミング生成部５０２は、カウンタ選択回路５０１から出力される信号Ｓ５５４の値に基づいて、上記データ送信部２から出力されるシリアルデータＳ１０２をロードするタイミングを表す信号Ｓ５５５を生成する。データロード部５０３は、ロードタイミング生成部５０２から出力されるロードタイミング信号Ｓ５５５に基づいて、データ送信部２から出力されるシリアルデータＳ１０２を取り込み、パラレルデータＳ１１４を出力する。
【０００８】
上記制御部３は、上記カウンタ選択信号Ｓ５５３が第１のカウンタ４を選択している場合には第１ウィンドウ信号Ｓ１０５に基づいて、第１のカウンタ４をリセットするよう第１カウンタリセット信号Ｓ１０３を出力し、一方、上記カウンタ選択信号Ｓ５５３が第２のカウンタ８を選択している場合には第２ウィンドウ信号Ｓ１１０に基づいて第２のカウンタ８をリセットするように第２カウンタリセット信号Ｓ１０８を出力する。
【０００９】
また、選択されているカウンタから生成されたウィンドウ信号がＨの期間内にデータ送信部２から出力される同期信号Ｓ１０１が検出されなかった場合、選択されていないウィンドウ信号を開放するようウィンドウ制御信号Ｓ５５１、Ｓ５５２を出力する。その次に同期信号Ｓ１０１が検出されるのが、選択されているウィンドウがＬの期間であった場合、選択されていないカウンタをリセットするようリセット信号Ｓ１０３、Ｓ１０８を出力する。そして、その次に同期信号Ｓ１０１が検出されるのも、選択されているウィンドウがＬの期間であった場合、選択するカウンタを切り替えるようにカウンタ選択信号Ｓ５５３を出力する。
【００１０】
次に図６に示すフローチャートと図７のタイミングチャートを参照しながら、動作の流れを説明する。
図７のタイミングチャートに示すように、同期信号Ｓ１０１が入力されるとすると、第１ウィンドウ信号Ｓ１０５がＨになるまでは、ステップＳＴ６０１からステップＳＴ６０５に遷移し、またステップＳＴ６０１に戻るという動作を繰り返す。
【００１１】
そして、第１ウィンドウ信号Ｓ１０５がＨになるとステップＳＴ６０１からステップＳＴ６０２に遷移し、第１ウィンドウ信号Ｓ１０５がＨの間に、同期信号が現れると、ステップＳＴ６０２からステップＳＴ６０３に遷移し、その同期信号を検出し、第１のカウンタ４をリセットする。
【００１２】
一方、第１ウィンドウ信号Ｓ１０５がＨの間に、同期信号が現れないタイミングＴ７０１では、ステップＳＴ６０２からステップＳＴ６０４に遷移し、同期信号を内挿し、第１のカウンタ４をリセットすると同時に第２ウィンドウ信号Ｓ１１０を開放する。
【００１３】
また、第１ウィンドウ信号Ｓ１０５がＬの間に、同期信号が現れた場合は、ステップＳＴ６０５からステップＳＴ６０６に遷移する。タイミングＴ７０２のように、第１のカウンタ４側で直前に同期信号を内挿している場合は、ステップＳＴ６０７に遷移し、第２のカウンタ８側で直前に選択ウィンドウ以外に同期信号は検出していないため、ステップＳＴ６１０に遷移し、第２ウィンドウ信号Ｓ１１０をクローズし、ステップＳＴ６０１に戻る。
【００１４】
また、タイミングＴ７０３では、第１ウィンドウ信号Ｓ１０５がＨの間に同期信号が現れないため、タイミングＴ７０１と同様に、ステップＳＴ６０１からステップＳＴ６０２、さらにステップＳＴ６０２からステップＳＴ６０３に遷移し、同期信号を内挿し、第１のカウンタ４をリセットすると同時に、未選択ウィンドウを開放する。
【００１５】
タイミングＴ７０４では、第１ウィンドウ信号Ｓ１０５がＬの間に同期信号Ｓ１０１が現れるため、ステップＳＴ６０１からステップＳＴ６０５、さらにステップＳＴ６０５からステップＳＴ６０６に遷移し、第１のカウンタ４側で直前に同期信号を内挿しているためステップＳＴ６０７に遷移し、第２のカウンタ８側で直前に選択ウィンドウ以外に同期信号を検出しているためステップＳＴ６０８に遷移する。ここで、第２ウィンドウ信号Ｓ１１０がＨであるため、ステップＳＴ６０９に遷移し、同期信号を検出して第２のカウンタ８をリセットすると同時に、選択するカウンタを第１のカウンタ４から第２のカウンタ８に切り替える。
【００１６】
タイミングＴ７０５では、選択されている第２ウィンドウ信号Ｓ１１０がＨの間に、同期信号が現れているため、ステップＳＴ６０１からステップＳＴ６０２、さらにステップＳＴ６０２からステップＳＴ６０３に遷移し、同期信号を検出し、第２のカウンタ８をリセットする。
【００１７】
ロードタイミング生成部５０２は、選択されたカウンタの所定の値でロードタイミングを発生する。データロード部５０３では、そのロードタイミングに従って、シリアルデータＳ１０２を取り込みパラレルデータＳ１１４を出力する。
【００１８】
図７のように、同期信号が入力された場合には、タイミングＴ７０４の前までは第１のカウンタ４系のロードタイミングで出力され、タイミングＴ７０５以降は第２のカウンタ８系のロードタイミングで出力されるようになり、図７のように、途中から同期信号Ｓ１０１がずれた場合でも、同期検出を高速に復帰させることができる。
【００１９】
【発明が解決しようとする課題】
従来の同期信号出力回路、及び同期検出方法は以上のように構成されており、予測同期ウィンドウ生成部を２つ備え、入力同期信号のタイミングずれによって、同期信号を検出するための予測時間の周期を切り替えるようにしているので、タイミングＴ７０４から第２のカウンタ系のタイミングでデータが出力されるようになっているが、直前の同期検出信号との間が同期信号の周期に満たないため、タイミングＴ７０４で出力されるデータＢ１は間違っており、タイミングＴ７０５で出力されるデータＢ２から正しいデータが出力されることとなるため、実質的にはタイミングＴ７０４の同期信号から同期を取り直していることになる。しかしながら、同期信号Ｓ１０１を見ると、タイミングＴ７０２から一定周期で同期信号Ｓ１０１が現れており、タイミングＴ７０２の同期信号から同期を取り直さなければ、データを取り損ねることになる。図８のように、同期信号Ｓ１０１が時間的に前方にずれた場合（タイミングＴ８０１参照）は、さらに１データ取り損ねることになる。
【００２０】
以上のように、従来の構成では、同期のずれが起こった場合に、複数のデータを取り損ねてしまうという問題点があった。
本発明は、以上のような問題点を解消するためになされたもので、同期のずれが起こった場合でも、高速に同期検出が復帰させられ、データを取り損ねることがない同期検出回路、及び同期検出方法を提供することを目的とする。
【００２１】
【課題を解決するための手段】
本発明の請求項１にかかる同期検出回路は、供給される同期信号に同期して一定周波数のクロック信号をカウントする第１のカウンタと、上記第１のカウンタの値に基づいて次の同期信号を検出する時間を予測し、該予測した時間の前後一定期間内に同期信号の検出期間を示す第１のウィンドウ信号を出力する第１の予測同期ウィンドウ生成手段と、上記第１のカウンタの値に基づいて供給されるシリアルデータを取り込むための第１のロードタイミング信号を出力する第１のロードタイミング生成手段と、供給されるシリアルデータを上記第１のロードタイミング信号に基づいて取り込み、第１のパラレルデータを出力する第１のデータロード手段と、上記同期信号に同期して一定周波数のクロック信号をカウントする第２のカウンタと、上記第２のカウンタの値に基づいて、次の同期信号を検出する時間を予測し、該予測した時間の前後一定期間内に同期信号の検出期間を示す第２のウィンドウ信号を出力する第２の予測同期ウィンドウ生成手段と、上記第２のカウンタの値に基づいて第２のロードタイミング信号を出力する第２のロードタイミング生成手段と、供給されるシリアルデータを上記第２のロードタイミング信号に基づいて取り込み、第２のパラレルデータを出力する第２のデータロード手段と、上記第１のパラレルデータと第２のパラレルデータとのいずれかの出力を選択するパラレルデータ選択手段と、現在選択されている上記第１または第２の予測同期ウィンドウ生成手段による同期信号の検出期間外に上記同期信号を検出した際、現在非選択の予測同期ウィンドウ生成手段による同期信号の検出期間内であった場合、上記パラレルデータ選択手段を、現在選択されているパラレルデータから現在非選択のパラレルデータに出力を切り替えるように制御する制御手段と、を備えたものである。
【００２２】
また、本発明の請求項２にかかる同期検出回路は、請求項１記載の同期検出回路において、上記制御手段は、上記パラレルデータ選択手段で上記第１のパラレルデータが選択され、上記第１のカウンタが所定の値になった時、および上記パラレルデータ選択手段で上記第２のパラレルデータが選択され、上記第２のウィンドウ信号がＬの期間に上記同期信号が検出された時に、上記第１のカウンタがリセットされるように第１のリセット信号を出力し、上記パラレルデータ選択手段で上記第２のパラレルデータが選択され、上記第２のカウンタが所定の値になった時、および上記パラレルデータ選択手段で上記第１のパラレルデータが選択され、上記第１のウィンドウ信号がＬの期間に上記同期信号が検出された時に、上記第２のカウンタがリセットされるように第２のリセット信号を出力し、上記パラレルデータ選択手段で上記第１のパラレルデータが選択され、上記第１のウィンドウ信号がＨの期間内に上記同期信号が検出できなかった後、上記第１のウィンドウ信号がＨの期間以外で上記第２のウィンドウ信号がＨの期間内に上記同期信号を検出した時に、上前記パラレルデータ選択手段で選択するパラレルデータを上記第２のパラレルデータに変更し、上記パラレルデータ選択手段で上記第２のパラレルデータが選択され、上記第２のウィンドウ信号がＨの期間内に上記同期信号が検出できなかった後、上記第２のウィンドウ信号がＨの期間以外で上記第１のウィンドウ信号がＨの期間内に上記同期信号を検出した時に、上記パラレルデータ選択手段で選択するパラレルデータを上記第１のパラレルデータに変更するものである。
【００２３】
また、本発明の請求項３にかかる同期検出方法は、供給される同期信号に同期して一定周波数のクロック信号をカウントし第１のカウント値を出力する第１のステップと、第１のカウント値に基づいて次の同期信号を検出する時間を予測し、該予測した時間の前後一定期間内に同期信号の検出期間を示す第１のウィンドウ信号を出力する第２のステップと、上記第１のカウント値に基づいて供給されるシリアルデータを取り込むための第１のロードタイミング信号を出力する第３のステップと、供給されるシリアルデータを上記第１のロードタイミング信号に基づいて取り込み、第１のパラレルデータを出力する第４のステップと、上記同期信号に同期して一定周波数のクロック信号をカウントし第２のカウント値を出力する第５のステップと、上記第２のカウント値に基づいて次の同期信号を検出する時間を予測し、該予測した時間の前後一定期間内に同期信号の検出期間を示す第２のウィンドウ信号を出力する第６のステップと、上記第２のカウント値に基づいて、第２のロードタイミング信号を出力する第７のステップと、供給されるシリアルデータを上記第２のロードタイミング信号に基づいて取り込み、第２のパラレルデータを出力する第８のステップと、上記第１及び第２のウィンドウ信号による同期信号の検出期間外に上記同期信号を検出したか否かを判定する第９のステップと、現在選択されている上記第１または第２のウィンドウ信号による同期信号の検出期間外に上記同期信号を検出した時、現在非選択のウィンドウ信号による同期信号の検出期間内であった場合、現在選択されているパラレルデータから現在非選択のパラレルデータに出力を切り替えて出力する第１０のステップと、を含むものである。
【００２４】
また、本発明の請求項４にかかる同期検出方法は、請求項３記載の同期検出方法において、上記第１０のステップは、上記第１のパラレルデータ選択時で上記第１のカウント値が所定の値になった時、および上記第２のパラレルデータ選択時で上記第２のウィンドウ信号がＬの期間に上記同期信号が検出された時に、上記第１のカウント値がリセットされるように第１のリセット信号を出力するステップと、上記第２のパラレルデータ選択時で上記第２のカウント値が所定の値になった時、及び上記第１のパラレルデータ選択時で上記第１のウィンドウ信号がＬの期間に上記同期信号が検出された時に、上記第２のカウント値がリセットされるように第２のリセット信号を出力するステップと、上記第１のパラレルデータ選択時で上記第１のウィンドウ信号がＨの期間内に上記同期信号が検出できなかった後、上記第１のウィンドウ信号がＨの期間以外で上記第２のウィンドウ信号がＨの期間内に上記同期信号を検出した時、上記選択されるパラレルデータを上記第２のパラレルデータに変更するステップと、上記第２のパラレルデータ選択時で上記第２のウィンドウ信号がＨの期間内に上記同期信号が検出できなかった後、上記第２のウィンドウ信号がＨの期間以外で上記第１のウィンドウ信号がＨの期間内に上記同期信号を検出した時に、上記選択するパラレルデータを上記第１のパラレルデータに変更するステップと、を含むものとしたものである。
【００２５】
また、本発明の請求項５による同期検出回路は、供給される同期信号に基づいてシリアルデータを取り込み、パラレルデータとして出力する同期検出回路において、上記供給される同期信号に同期して所定のタイミングにてシリアルデータを取り込んで、パラレルデータとして出力する第１のデータ出力回路と、上記第１のデータ出力回路とは異なるタイミングにて上記シリアルデータを取り込み、パラレルデータとして出力する第２のデータ出力回路と、上記第１及び第２のデータ出力回路から出力されるパラレルデータのいずれか一方を選択して出力するデータ選択手段と、現在選択されている上記第１または第２のデータ出力回路からの、上記同期信号の検出期間以外における同期信号の出現を検出した時、現在非選択のデータ出力回路からの同期信号の検出期間内であった場合、上記データ選択手段によって選択されているデータ出力回路の出力を、他方のデータ出力回路に切り替えるように制御する制御手段と、を備えたものである。
【００２６】
また、この発明の請求項６にかかる同期検出方法は、供給される同期信号に基づいてシリアルデータを取り込み、パラレルデータとして出力する同期検出方法において、第１のデータ出力回路により、上記供給される同期信号に同期して所定のタイミングにてシリアルデータを取り込み、パラレルデータとして出力するステップと、第２のデータ出力回路により上記第１のデータ出力回路とは異なるタイミングにて上記シリアルデーを取り込み、パラレルデータとして出力するステップと、上記第１及び第２のデータ出力回路から出力されるパラレルデータのいずれか一方を選択して出力するデータ選択ステップと、上記第１及び第２のデータ出力回路からの上記同期信号の検出期間以外における同期信号の出現を検出し、上記データ選択ステップにて選択されているデータ出力回路の出力を、次の同期信号を検出した時点から他方のデータ出力回路に切り替えるように制御する制御ステップと、を含むものである。
【００２７】
【発明の実施の形態】
（実施の形態１）
以下、本発明の実施の形態１における同期検出回路について、図面を参照しながら説明する。図１は本実施の形態１における同期検出回路の構成図を示すものである。図１において、１００は同期検出回路であり、以下、該同期検出回路１００を構成する各要素について詳細に説明を行う。
【００２８】
データ送信部２は、同期信号Ｓ１０１とシリアルデータＳ１０２とを同期検出回路１００に供給する。第１のカウンタ４は、制御部３からのリセット信号Ｓ１０３がＬの時は一定周波数のクロックをカウントし、制御部３からのリセット信号Ｓ１０３がＨの時はリセットされる。第１予測同期ウィンドウ生成部５は、第１のカウンタ４から出力される信号Ｓ１０４の値に基づいて、次の同期信号を検出する時間を予測してこの前後一定期間内に同期信号の検出期間を示す第１ウィンドウ信号Ｓ１０５を出力する。
【００２９】
第１ロードタイミング生成部６は、第１のカウンタ４から出力される信号Ｓ１０４の値に基づいて、データ送信部２から出力されるシリアルデータＳ１０２のロードするタイミングを表す信号Ｓ１０６を生成する。
【００３０】
第１データロード部７は、第１ロードタイミング生成部６から出力されるロードタイミング信号Ｓ１０６に基づいて、データ送信部２から出力されるシリアルデータＳ１０２を取り込み、第１のパラレルデータＳ１０７を出力する。
【００３１】
第２のカウンタ８は、制御部３からのリセット信号Ｓ１０８がＬの時は一定周波数のクロックをカウントし、制御部３からのリセット信号Ｓ１０８がＨの時はリセットされる。
【００３２】
第２予測同期ウィンドウ生成部９は、上記第２のカウンタ８から出力される信号Ｓ１０９の値に基づいて次の同期信号を検出する時間を予測してこの前後一定期間内に同期信号の検出期間を示す第２ウィンドウ信号Ｓ１１０を出力する。
【００３３】
第２ロードタイミング生成部１０は、第２のカウンタ８から出力される信号Ｓ１０９の値に基づいて、データ送信部２から出力されるシリアルデータＳ１０２をロードするタイミングを表す信号Ｓ１１１を生成する。
【００３４】
第２データロード部１１は、第２ロードタイミング生成部１０から出力されるロードタイミング信号Ｓ１１１に基づいて、データ送信部２から出力されるシリアルデータＳ１０２を取り込み、第２のパラレルデータＳ１１２を出力する。
【００３５】
パラレルデータ選択回路１２は、制御部３からのパラレルデータ選択信号Ｓ１１３に基づいて、第１のパラレルデータＳ１０７と第２のパラレルデータＳ１１２とのいずれかを選択し、パラレルデータＳ１１４を出力する。
【００３６】
上記制御部３はパラレルデータ選択信号Ｓ１１３が第１のパラレルデータを選択している場合で、第１ウィンドウ信号Ｓ１０５がＨの期間に同期信号Ｓ１０１を検出した場合と、パラレルデータ選択信号Ｓ１１３が第２のパラレルデータを選択している場合で、第２ウィンドウ信号Ｓ１１０がＬの期間に同期信号Ｓ１０１を検出した場合に、第１のカウンタをリセットするよう第１カウンタリセット信号Ｓ１０３を出力する。また、パラレルデータ選択信号Ｓ１１３が第２のパラレルデータを選択している場合には第２ウィンドウ信号Ｓ１１０がＨの期間に同期信号Ｓ１を検出した場合と、パラレルデータ選択信号Ｓ１１３が第１のパラレルデータを選択している場合で、第１ウィンドウ信号Ｓ１０５がＬの期間に同期信号Ｓ１を検出した場合に、第２のカウンタをリセットするように第２カウンタリセット信号Ｓ１０８を出力する。
【００３７】
また、選択されているカウンタから生成されたウィンドウ信号がＨの期間内にデータ送信部２から出力される同期信号Ｓ１０１が検出されず、選択されていないカウンタから生成されたウィンドウ信号がＨの期間内に同期信号Ｓ１０１が検出された場合、選択するパラレルデータを切り替えるようにパラレルデータ選択信号Ｓ１１３を出力する。
【００３８】
次に図１に示す同期検出回路の動作を図２のフローチャートと図３のタイミングチャートを参照しながら説明する。
図３に示すタイミングチャートのように、同期信号Ｓ１０１が入力されるとすると、第１ウィンドウ信号Ｓ１０５がＨになるまでは、ステップＳＴ２０１からＳＴ２０５に遷移し、またＳＴ２０１に戻るという動作を繰り返す。
【００３９】
第１ウィンドウ信号Ｓ１０５がＨになると、ステップＳＴ２０１からステップＳＴ２０２に遷移し、第１ウィンドウ信号Ｓ１０５がＨの間に同期信号Ｓ１０１が現れると、ステップＳＴ２０２からステップＳＴ２０３に遷移し、その同期信号を検出し、第１のカウンタ４をリセットする。第１ウィンドウ信号Ｓ１０５がＨの間に同期信号Ｓ１０１が現れないタイミングＴ３０１では、ステップＳＴ２０２からステップＳＴ２０４に遷移し、同期信号を内挿し、第１のカウンタ４をリセットする。
【００４０】
第１ウィンドウ信号Ｓ１０５がＬの間に同期信号Ｓ１０１が現れた場合は、ステップＳＴ２０５からステップＳＴ２０６に遷移する。タイミングＴ３０２のように、第１のカウンタ側で直前に同期信号を内挿している場合は、ステップＳＴ２０７に遷移し、第２のカウンタ側で直前に選択ウィンドウ以外に同期信号は検出していないため、ステップＳＴ２１３に遷移し、第２のカウンタ８をリセットし、第２のカウンタ８によるカウントを開始させ、ステップＳＴ２０１に戻る。
【００４１】
タイミングＴ３０３では、第１ウィンドウ信号Ｓ１０５がＨの間に同期信号が現れないため、タイミングＴ２０１と同様にステップＳＴ２０１からステップＳＴ２０２、ステップＳＴ２０２から、ステップＳＴ２０３に遷移し、同期信号を内挿し、第１のカウンタ４をリセットする。
【００４２】
タイミングＴ３０４では、第１ウィンドウ信号Ｓ１０５がＬの間に同期信号が現れるため、ステップＳＴ２０１からステップＳＴ２０５、ステップＳＴ２０５からステップＳＴ２０６に遷移し、第１のカウンタ４側で直前に同期信号を内挿しているため、ステップＳＴ２０７に遷移し、第２のカウンタ８側で直前に選択ウィンドウ以外に同期信号Ｓ１０１を検出しているため、ステップＳＴ２０８に遷移する。ここで、タイミングＴ３０２で第２のカウンタ８がカウントの開始が始まっており、第２ウィンドウ信号Ｓ１１０がＨとなったタイミングであるため、ステップＳＴ２０９に遷移し、同期信号Ｓ１０１を検出し、第２のカウンタ８をリセットすると同時に、選択するパラレルデータを第１のパラレルデータから第２のパラレルデータに切り替える。
【００４３】
タイミングＴ３０５では、選択されている第２予測同期ウィンドウ生成部９の第２ウィンドウ信号Ｓ１１０がＨの間に同期信号Ｓ１０１が現れているため、ステップＳＴ２０１からステップＳＴ２０２、ステップＳＴ２０２からステップＳＴ２０３に遷移し、同期信号Ｓ１０１を検出し、第２のカウンタ８をリセットする。
【００４４】
第１ロードタイミング生成部６は、第１のカウンタ４の所定の値で第１のロードタイミングを発生し、第１データロード部７は、第１のロードタイミングに従ってシリアルデータＳ１０２を取り込み、パラレルデータＳ１１４を出力する。第２ロードタイミング生成部１０は、第２のカウンタ８の所定の値で第２のロードタイミングを発生し、第２データロード部１１は、第２のロードタイミングに従ってシリアルデータＳ１０２を取り込み、パラレルデータを出力する。
【００４５】
図３のように、同期信号Ｓ１０１が入力された場合には、タイミングＴ３０４の前までは、第１のカウンタ４系のロードタイミングでシリアルデータＳ１０２が取り込まれてパラレルデータＳ１１４が出力され、タイミングＴ３０５以降は第２のカウンタ８系のロードタイミングでシリアルデータＳ１０２が取り込まれてパラレルデータＳ１１４が出力される。この時、第１のパラレルデータも第２のパラレルデータも同期信号Ｓ１０１の所定の周期ごとにロードされているため、データの切り替えの前後のデータも正しいデータがロードされている。したがって、同期がずれ始めたタイミングＴ３０２の同期信号から同期を取り直すことができる。
【００４６】
また、図８に示したように同期が時間的に前方にずれた場合の動作の流れは以下のようになる。
第１ウィンドウ信号Ｓ１０５がＬの間に同期信号Ｓ１０１が現れたタイミングＴ４０１では、ステップＳＴ２０１からステップＳＴ２０５、ステップＳＴ２０５からステップＳＴ２０６に遷移し、第１のカウンタ４側で直前に同期信号を内挿していないため、ステップＳＴ２１０に遷移し、第２のカウンタ８側で直前に選択ウィンドウ以外に同期信号は検出していないためステップＳＴ２１３に遷移し、未選択カウンタである第２のカウンタ８をリセットし、ステップＳＴ２０１に戻る。
【００４７】
タイミングＴ４０３では、ステップＳＴ２０１からステップＳＴ２０５、ステップＳＴ２０５からステップＳＴ２０６に遷移し、第１のカウンタ４側で直前に同期信号を内挿しているため、ステップＳＴ２０７に遷移し、第２のカウンタ８側で直前に選択ウィンドウ以外に同期信号Ｓ１０１は検出しているため、ステップＳＴ２０８に遷移する。ここで、第２ウィンドウ信号Ｓ１１０がＨであるため、ステップＳＴ２０９に遷移し、同期信号Ｓ１０１を検出し、第２のカウンタ８をリセットすると同時に選択するパラレルデータを第１のパラレルデータＳ１０７から第２のパラレルデータＳ１１４に切り替える。
従って、同期がずれ始めたタイミングＴ４０１の同期信号Ｓ１０１から同期を取り直すことができる。
【００４８】
以上のように、本実施の形態による同期検出回路では、選択されているカウンタから生成されたウィンドウ信号がＨの期間内に、データ送信部２から出力される同期信号Ｓ１０１が検出されず、選択されていないカウンタから生成されたウィンドウ信号がＨの期間内に、同期信号Ｓ１０１が検出された場合、次に同期信号Ｓ１０１が検出された時点から、現在選択しているパラレルデータを未選択側のパラレルデータに切り替えて出力するようにしたので、振動などによる光ピックアップのトラックからのずれや、トラックジャンプの発生により、途中から同期がずれる場合にも、同期がずれ始めた箇所から確実に同期を取り直すことができる。また、従来通り同期信号が抜けた場合に内挿することもでき、余分な同期信号がある場合には無視することもできる。
【００４９】
なお、図３では、第２カウンタリセット信号Ｓ１０８が最初は波形が出現していないが、これは同期検出回路が初期動作時のためであって、初期動作時でない場合には出現しているものである。
【００５０】
【発明の効果】
以上のように、本発明の請求項１にかかる同期検出回路によれば、供給される同期信号に同期して一定周波数のクロック信号をカウントする第１のカウンタと、上記第１のカウンタの値に基づいて次の同期信号を検出する時間を予測し、該予測した時間の前後一定期間内に同期信号の検出期間を示す第１のウィンドウ信号を出力する第１の予測同期ウィンドウ生成手段と、上記第１のカウンタの値に基づいて、供給されるシリアルデータを取り込むための第１のロードタイミング信号を出力する第１のロードタイミング生成手段と、供給されるシリアルデータを上記第１のロードタイミング信号に基づいて取り込み、第１のパラレルデータを出力する第１のデータロード手段と、上記同期信号に同期して一定周波数のクロック信号をカウントする第２のカウンタと、上記第２のカウンタの値に基づいて次の同期信号を検出する時間を予測し、該予測した時間の前後一定期間内に同期信号の検出期間を示す第２のウィンドウ信号を出力する第２の予測同期ウィンドウ生成手段と、上記第２のカウンタの値に基づいて第２のロードタイミング信号を出力する第２のロードタイミング生成手段と、供給されるシリアルデータを上記第２のロードタイミング信号に基づいて取り込み、第２のパラレルデータを出力する第２のデータロード手段と、上記第１のパラレルデータと第２のパラレルデータとのいずれかの出力を選択するパラレルデータ選択手段と、現在選択されている上記第１または第２の予測同期ウィンドウ生成手段による同期信号の検出期間外に上記同期信号を検出した際、現在非選択の予測同期ウィンドウ生成手段による同期信号の検出期間内であった場合、上記パラレルデータ選択手段を、現在選択されているパラレルデータから現在非選択のパラレルデータに出力を切り替えるように制御する制御手段と、を備えたものとしたので、振動などによる光ピックアップのトラックからのずれや、トラックジャンプの発生による同期ずれが発生した場合でも、同期がずれ始めた箇所から確実に同期を取り直すことができ、また、従来通り同期信号が抜けた場合に内挿することもでき、余分な同期信号がある場合にはこれを無視することもできるという効果が得られる。
【００５１】
また、本発明の請求項２にかかる同期検出回路によれば、請求項１記載の同期検出回路において、上記制御手段は、上記パラレルデータ選択手段で上記第１のパラレルデータが選択され、上記第１のカウンタが所定の値になった時、および上記パラレルデータ選択手段で上記第２のパラレルデータが選択され、上記第２のウィンドウ信号がＬの期間に上記同期信号が検出された時に、上記第１のカウンタがリセットされるように第１のリセット信号を出力し、上記パラレルデータ選択手段で上記第２のパラレルデータが選択され、上記第２のカウンタが所定の値になった時、および上記パラレルデータ選択手段で上記第１のパラレルデータが選択され、上記第１のウィンドウ信号がＬの期間に上記同期信号が検出された時に、上記第２のカウンタがリセットされるように第２のリセット信号を出力し、上記パラレルデータ選択手段で上記第１のパラレルデータが選択され、上記第１のウィンドウ信号がＨの期間内に上記同期信号が検出できなかった後、上記第１のウィンドウ信号がＨの期間以外で上記第２のウィンドウ信号がＨの期間内に上記同期信号を検出した時に、上前記パラレルデータ選択手段で選択するパラレルデータを上記第２のパラレルデータに変更し、上記パラレルデータ選択手段で上記第２のパラレルデータが選択され、上記第２のウィンドウ信号がＨの期間内に上記同期信号が検出できなかった後、上記第２のウィンドウ信号がＨの期間以外で上記第１のウィンドウ信号がＨの期間内に上記同期信号を検出した時に、上記パラレルデータ選択手段で選択するパラレルデータを上記第１のパラレルデータに変更するものとしたので、振動などによる光ピックアップのトラックからのずれや、トラックジャンプの発生による同期ずれが発生した場合でも、同期がずれ始めた箇所から確実に同期を取り直すことができ、また、従来通り同期信号が抜けた場合に内挿することもでき、余分な同期信号がある場合にはこれを無視することもできるという効果が得られる。
【００５２】
また、本発明の請求項３にかかる同期検出方法は、供給される同期信号に同期して一定周波数のクロック信号をカウントし第１のカウント値を出力する第１のステップと、第１のカウント値に基づいて次の同期信号を検出する時間を予測し、該予測した時間の前後一定期間内に同期信号の検出期間を示す第１のウィンドウ信号を出力する第２のステップと、上記第１のカウント値に基づいて、供給されるシリアルデータを取り込むための第１のロードタイミング信号を出力する第３のステップと、供給されるシリアルデータを上記第１のロードタイミング信号に基づいて取り込み、第１のパラレルデータを出力する第４のステップと、上記同期信号に同期して一定周波数のクロック信号をカウントし第２のカウント値を出力する第５のステップと、上記第２のカウント値に基づいて次の同期信号を検出する時間を予測し、該予測した時間の前後一定期間内に同期信号の検出期間を示す第２のウィンドウ信号を出力する第６のステップと、上記第２のカウント値に基づいて第２のロードタイミング信号を出力する第７のステップと、供給されるシリアルデータを上記第２のロードタイミング信号に基づいて取り込み、第２のパラレルデータを出力する第８のステップと、上記第１及び第２のウィンドウ信号による同期信号の検出期間外に上記同期信号を検出したか否かを判定する第９のステップと、現在選択されている上記第１または第２のウィンドウ信号による同期信号の検出期間外に上記同期信号を検出した時に、現在非選択のウィンドウ信号による同期信号の検出期間内であった場合、現在選択されているパラレルデータから現在非選択のパラレルデータに出力を切り替えて出力する第１０のステップと、を含むものとしたので、振動などによる光ピックアップのトラックからのずれや、トラックジャンプの発生による同期ずれが発生した場合でも、同期がずれ始めた箇所から確実に同期を取り直すことができ、また、従来通り同期信号が抜けた場合に内挿することもでき、余分な同期信号がある場合にはこれを無視することもできるという効果が得られる。
【００５３】
また、本発明の請求項４にかかる同期検出方法は、請求項３記載の同期検出方法において、上記第１０のステップは、上記第１のパラレルデータ選択時で上記第１のカウント値が所定の値になった時、および上記第２のパラレルデータ選択時で上記第２のウィンドウ信号がＬの期間に上記同期信号が検出された時に、上記第１のカウント値がリセットされるように第１のリセット信号を出力するステップと、上記第２のパラレルデータ選択時で上記第２のカウント値が所定の値になった時、及び上記第１のパラレルデータ選択時で上記第１のウィンドウ信号がＬの期間に上記同期信号が検出された時に、上記第２のカウント値がリセットされるように第２のリセット信号を出力するステップと、上記第１のパラレルデータ選択時で上記第１のウィンドウ信号がＨの期間内に上記同期信号が検出できなかった後、上記第１のウィンドウ信号がＨの期間以外で上記第２のウィンドウ信号がＨの期間内に上記同期信号を検出した時、上記選択されるパラレルデータを上記第２のパラレルデータに変更するステップと、上記第２のパラレルデータ選択時で上記第２のウィンドウ信号がＨの期間内に上記同期信号が検出できなかった後、上記第２のウィンドウ信号がＨの期間以外で上記第１のウィンドウ信号がＨの期間内に上記同期信号を検出した時に、上記選択するパラレルデータを上記第１のパラレルデータに変更するステップと、を含むものとしたものとしたので、振動などによる光ピックアップのトラックからのずれや、トラックジャンプの発生による同期ずれが発生した場合でも、同期がずれ始めた箇所から確実に同期を取り直すことができ、また、従来通り同期信号が抜けた場合に内挿することもでき、余分な同期信号がある場合にはこれを無視することもできるという効果が得られる。
【００５４】
また、本発明の請求項５にかかる同期検出回路によれば、供給される同期信号に基づいてシリアルデータを取り込み、パラレルデータとして出力する同期検出回路において、上記供給される同期信号に同期して所定のタイミングにてシリアルデータを取り込んで、パラレルデータとして出力する第１のデータ出力回路と、上記第１のデータ出力回路とは異なるタイミングにて上記シリアルデータを取り込み、パラレルデータとして出力する第２のデータ出力回路と、上記第１及び第２のデータ出力回路から出力されるパラレルデータのいずれか一方を選択して出力するデータ選択手段と、現在選択されている上記第１または第２のデータ出力回路からの、上記同期信号の検出期間以外における同期信号の出現を検出した時、現在非選択のデータ出力回路からの同期信号の検出期間内であった場合、上記データ選択手段によって選択されているデータ出力回路の出力を、他方のデータ出力回路に切り替えるように制御する制御手段と、を備えたものとしたので、振動などによる光ピックアップのトラックからのずれや、トラックジャンプの発生による同期ずれが発生した場合でも、同期がずれ始めた箇所から確実に同期を取り直すことができ、また、従来通り同期信号が抜けた場合に内挿することもでき、余分な同期信号がある場合にはこれを無視することもできるという効果が得られる。
【００５５】
また、本発明の請求項６にかかる同期検出方法によれば、供給される同期信号に基づいてシリアルデータを取り込み、パラレルデータとして出力する同期検出方法において、第１のデータ出力回路により上記供給される同期信号に同期して所定のタイミングにてシリアルデータを取り込み、パラレルデータとして出力するステップと、第２のデータ出力回路により上記第１のデータ出力回路とは異なるタイミングにて上記シリアルデータを取り込み、パラレルデータとして出力するステップと、上記第１及び第２のデータ出力回路から出力されるパラレルデータのいずれか一方を選択して出力するデータ選択ステップと、上記第１及び第２のデータ出力回路からの上記同期信号の検出期間以外における同期信号の出現を検出し、上記データ選択ステップにて選択されているデータ出力回路の出力を、次の同期信号を検出した時点から他方のデータ出力回路に切り替えるように制御する制御ステップと、を含むものとしたので、振動などによる光ピックアップのトラックからのずれや、トラックジャンプの発生による同期ずれが発生した場合でも、同期がずれ始めた箇所から確実に同期を取り直すことができ、また、従来通り同期信号が抜けた場合に内挿することもでき、余分な同期信号がある場合にはこれを無視することもできるという効果が得られる。
【図面の簡単な説明】
【図１】本発明の実施の形態１による同期検出回路の構成図
【図２】上記同期検出回路の動作を説明するためのフローチャートを記載した図
【図３】上記同期検出回路の動作を説明するためのタイミングチャートを記載した図
【図４】上記同期検出回路の動作を説明するためのタイミングチャートを記載したさらなる図
【図５】従来の同期検出回路の構成図
【図６】従来の同期検出回路の動作を説明するためのフローチャートを記載した図
【図７】従来の同期検出回路の動作を説明するためのタイミングチャートを記載した図
【図８】従来の同期検出回路の動作を説明するためのタイミングチャートを記載したさらなる図
【符号の説明】
１，１００　同期検出回路
２　データ送信部
３　制御部
４　第１のカウンタ
５　第１予測同期ウィンドウ生成部
６　第１ロードタイミング生成部
７　第１データロード部
８　第２のカウンタ
９　第２予測同期ウィンドウ生成部
１０　第２ロードタイミング生成部
１１　第２データロード部
１２　パラレルデータ選択部
５０１　カウンタ選択部
５０２　ロードタイミング生成部
５０３　データロード部
Ｓ１０１　同期信号
Ｓ１０２　シリアルデータ
Ｓ１０３　第１のリセット信号
Ｓ１０４　第１のカウント値
Ｓ１０５　第１のウィンドウ
Ｓ１０６　ロードタイミング１
Ｓ１０７　第１のパラレルデータ
Ｓ１０８　第２のリセット信号
Ｓ１０９　第２のカウント値
Ｓ１１０　第２のウィンドウ
Ｓ１１１　ロードタイミング２
Ｓ１１２　第２のパラレルデータ
Ｓ１１３　パラレルデータ選択信号
Ｓ１１４　パラレルデータ
Ｓ５５１　第１のウィンドウ制御信号
Ｓ５５２　第２のウィンドウ制御信号
Ｓ５５３　カウンタ選択信号
Ｓ５５４　カウント値
Ｓ５５５　ロードタイミング信号
【図１】
2004112574.tif 000003
【図２】
2004112574.tif 000004
【図３】
2004112574.tif 000005
【図４】
2004112574.tif 000006
【図５】
2004112574.tif 000007
【図６】
2004112574.tif 000008
【図７】
2004112574.tif 000009
【図８】
2004112574.tif 000010